(57)【要約】【課題】複合画像で構成される下絵の上で、フィルムゲージをスライド移動させることで、絵が動いているかの如き視覚的効果を与える装飾要素を備えた包装用箱において、フィルムゲージと下絵の適度な密着性を実現する。【解決手段】  包装用箱１０は、壁面３１に対して回動可能な回動フラップ２０を備えていて、当該回動フラップの内面に立設されたフィルムゲージ保持フラップ２５にフィルムゲージ５０が保持される。フィルムゲージ保持フラップ２５は、壁面３１に形成した一対の保持スリット３２ａ、３２ｂに、その両端を差し込むことで、当該壁面３１上に相対スライド可能に係止されている。回動フラップ２０が回動すると、これに連動して、フィルムゲージ保持フラップ２５に保持されたフィルムゲージ５０が下絵２６に対して相対的にスライドし、これにより動画が生じる。【選択図】図６
2010013119.tif 000002
【特許請求の範囲】
【請求項１】
複合画像で構成される下絵（２６）を収納室（３０）の一壁面（３１）に有し、当該下絵に対して、対応するフィルムゲージ（５０）を相対的にスライド移動させることで、動画を生じさせる装飾要素を備えた包装用箱であって、
当該包装用箱は、上記一壁面（３１）に対して回動可能な回動フラップ（２０）を備えていて、当該回動フラップの内面に立設されたフィルムゲージ保持フラップ（２５、１２５）に上記フィルムゲージ（５０）が保持されていて、
フィルムゲージ保持フラップ（２５、１２５）は、上記一壁面（３１）に形成した一対の保持スリット（３２ａ、３２ｂ）に、その両端を差し込むことで、当該一壁面（３１）上に相対スライド可能に係止されていて、
回動フラップ（２０）が回動すると、これに連動して、フィルムゲージ保持フラップ（２５、１２５）に保持されたフィルムゲージ（５０）が下絵に対して相対的にスライドし、これにより上記動画が生じることを特徴とする、包装用箱。
【請求項２】
上記フィルムゲージ保持フラップ（１２５）は、その両端に形成した切込スリット（２８ａ、２８ｂ）で構成される一対の差込片（２９ａ、２９ｂ）を備えており、当該一対の差込片は、互いに近づく方向に向けられていて、
当該一対の差込片（２９ａ、２９ｂ）を、上記一対の保持スリット（３２ａ、３２ｂ）に対して外方から互いに近づく方向に差し込むことで、フィルムゲージ保持フラップ（１２５）が上記一壁面（３１）上に相対スライド可能に係止されていることを特徴とする、請求項１記載の包装用箱。
【発明の詳細な説明】
【技術分野】
【０００１】
本発明は、複合画像で構成される下絵の上で、フィルムゲージをスライド移動させることで、絵が動いているかの如き視覚的効果を与える装飾要素を備えた包装用箱に関する。
【背景技術】
【０００２】
「下絵」と「フィルムゲージ」を利用して、パラパラ漫画とよく似た原理で、あたかも絵が動いているかのような視覚的効果を与える技術は、従来から知られている（例えば、特許文献１、２）。その原理を簡単に説明すると、次の通りである。
【０００３】
≪画素が２つの場合：図１、図２≫
図１は、「複合画像で構成される下絵」の作成原理を示している。ここでは、複合画像は、２つの画素から構成される。まず、画素１、２をそれぞれ等間隔“α”で間引いて、「残像」と「欠け」が繰り返す中間画素を作成する。次に、中間画像１の「欠け」部分に、中間画像２の「残像」部分が一致するようにして、両者を組み合わせて複合画像を作成する。
【０００４】
一方、図２に示したフィルムゲージは、透明の基材上に「黒塗りの細長い帯状領域」を等間隔で印刷したものであって、「帯状領域の幅」と「各帯状領域間の間隔」とが等しい（共に“α”）。
このフィルムゲージを複合画像上に重ね合わせて、両者を相対的にスライドさせると、図２に示したように、中間画素１の「残像」がフィルムゲージ上の各帯状領域間の透明領域にきたときに星形模様が視認される（Ａ）。
一方、中間画素２の「残像」がフィルムゲージ上の各帯状領域間の透明領域にきたときに丸形模様が視認される（Ｂ）。
【０００５】
以上の相対スライド動作を適度な速度で行うと、人間の目には、あたかも星形模様と丸形模様が動的に変化しているかのように視認される。
【０００６】
≪画素が３つの場合：図３、図４≫
以上に説明した画素が２つの場合は、（ｉ）画素を間引く際の「残像」と「欠け」の幅寸法を等しくし（“α”）、かつ、（ii）フィルムゲージ上の「帯状領域の幅」および「各帯状領域間の間隔」を共にこの“α”と等しくしている。
【０００７】
画素が３つの場合は、図３、図４に示したように、（ｉ）画素を間引く際に、「欠け」の幅寸法“β”を「残像」の幅寸法“γ”の２倍とし、（ii）フィルムゲージ上における「帯状領域の幅」を「欠け」の幅寸法“β”に等しく、「各帯状領域間の間隔」を「残像」の幅寸法“γ”に等しくする。
「欠け」の幅寸法“β”が「残像」の幅寸法“γ”の２倍であるため、中間画素１の「欠け」部分に他の２つの中間画素２、３の「残像」を収めることができ、したがって、３つの画素からなる複合画像を作成することができる。
【０００８】
そして、図４に示したように、中間画素１の「残像」がフィルムゲージ上の各帯状領域間の透明領域にきたときに星形模様が視認される（Ａ）。中間画素２の「残像」がフィルムゲージ上の各帯状領域間の透明領域にきたときに丸形模様が視認される（Ｂ）。中間画素３の「残像」がフィルムゲージ上の各帯状領域間の透明領域にきたときに菱形模様が視認される（Ｃ）。
【０００９】
同様の考え方で、画素が４つ、５つの場合にも、複合画像および対応するフィルムゲージを作成できる。
【００１０】
以上に説明した例では、ストライプ状のフィルムゲージを使用しているが、格子状のフィルムゲージと、これと対応する下絵とを利用して、同様の視覚的効果を与える構成も知られている。
ストライプ状のフィルムゲージの場合には、視覚的効果を得るために「下絵」と「フィルムゲージ」を相対移動させる方向は、ストライプに直交する１方向に限られる。これに対して、格子状のフィルムゲージの場合には、タテ、ヨコ、ナナメのいずれの方向に相対移動させた場合であっても、視覚的効果を得ることができる。
【００１１】
【特許文献１】特表２００７−５２６５００号
【特許文献２】実用新案登録第３０９５２６５号
【発明の開示】
【発明が解決しようとする課題】
【００１２】
菓子等を収容する包装用箱において、相対移動する構成要素を当該包装用箱に設けて、そこに「フィルムゲージ」および「下絵」を設けることで、上述の視覚的効果を与えることができる。視覚的効果により得られる動画を、収容される商品あるいは製造メーカと関連付けたものとすることで、宣伝効果あるいは販売促進効果を高めることができる。
【００１３】
ここで、「フィルムゲージ」と「下絵」を重ね合わせて相対スライドさせることで視覚的効果を得る場合、相対スライドする「フィルムゲージ」および「下絵」は、適度に密着していることが好ましい。両者の隙間が大きいと、視覚的効果として得られる動画もボヤケたものとなってしまう。つまり、動画を生じさせる装飾要素を備えた包装用箱を作成するにおいて、この適度な密着性を如何にして達成するかが課題となる。
したがって、本発明の目的は、包装用箱に設けた「フィルムゲージ」と「下絵」の適度な密着性を実現することである。
【課題を解決するための手段】
【００１４】
本発明の包装用箱は、「複合画像で構成される下絵」を収納室の一壁面に有し、当該下絵に対して、「対応するフィルムゲージ」を相対的にスライド移動させることで、動画を生じさせる装飾要素を備える。
当該包装用箱は、上記一壁面に対して回動可能な回動フラップを備えていて、当該回動フラップの内面に立設されたフィルムゲージ保持フラップに、上記フィルムゲージが保持されている。
フィルムゲージ保持フラップは、上記一壁面に形成した一対の保持スリットに、その両端を差し込むことで、当該一壁面上にスライド可能に係止されている。
回動フラップが回動すると、これに連動して、フィルムゲージ保持フラップに保持されたフィルムゲージが下絵に対して相対的にスライドし、これにより上記動画が生じる。
【００１５】
収納室の一壁面に表示される下絵は、例えば図１〜４で説明したような「残像」と「欠け」で構成される複数の画素から作成される複合画像である。また、下絵に「対応するフィルムゲージ」とは、複合画像の「残像」および「欠け」に対応した「透明領域」および「不透明領域」を含み、相対スライドによって動画を生じさせるフィルムゲージを意味する。
また、フィルムゲージは、ストライプ状および格子状のいずれであってもよく、対応する下絵（複合画像）と相対スライドすることで動画を生じさせる。
【発明の効果】
【００１６】
上記構成を有する本発明の包装用箱においては、一壁面に設けた一対のスリットに対して、フィルムゲージ保持フラップが、その両端を差し込むことで当該一壁面にスライド可能に係止されている。これにより、当該フラップに保持された「フィルムゲージ」が壁面上の「下絵」に適度に密着し、相対スライドにより得られる動画がクリアなものとなる。
【００１７】
「下絵」に対する「フィルムゲージ」の圧接効果を高めるため、フィルムゲージ保持フラップの両端に設ける一対の差込片を、互いに近づく方向に向けておいてもよい。
かかる構成を採用すると、下絵が表示された壁面の裏側において、差込片が下絵により近い位置に位置するため、フィルムゲージを下絵に向けて押し付ける効果が高まり、クリアな動画を得ることができる。
【発明を実施するための最良の形態】
【００１８】
≪第１実施形態：図５≫
図５は、本発明の第１実施形態に係る包装用箱１０の構造を示す組立図である。この包装用箱１０は、菓子等を入れる収納室３０の上面に回動フラップ２０を備えている。菓子は、開閉フラップ３５を開けて、収納室３０から取り出すことができる。
【００１９】
包装用箱１０は、代表的には１枚のブランクから組み立てることができ、回動フラップ２０は、フラップ片２１、２２を折り畳むように接着して形成される。フィルムゲージ保持フラップ２５が、フラップ片２２の一端縁に連設されている。
包装用箱１０を組み立てると、フィルムゲージ保持フラップ２５は、回動フラップ２０の内面から立設された状態となる。フィルムゲージ保持フラップ２５は中央に開口部２７を有していて、この開口部２７を塞ぐようにフィルムゲージ５０が、接着剤あるいは両面テープ等を用いて、フィルムゲージ保持フラップ２５に裏側から固定される（図５（ａ））。
【００２０】
フィルムゲージ保持フラップ２５は、両端に差込片２５ａ、２５ｂを備えている。一方、収納室３０の一壁面３１には、中央に表示した下絵２６の両サイドに沿って、一対の保持スリット３２ａ、３２ｂが形成されている。フィルムゲージ保持フラップ２５は、差込片２５ａ、２５ｂを保持スリット３２ａ、３２ｂに差し込むことで、一壁面３１上に相対スライド可能に係止される。
【００２１】
図６は、組み立てられた包装用箱１０と動画との関係を示している。スリット３２ａ、３２ｂは、それぞれ、差込片２５ａ、２５ｂの全幅寸法よりも長く設定されている。したがって、回動フラップ２０を回動させると、壁面３１上の下絵２６に対して、フィルムゲージ５０が相対スライドする。これによって、視覚的効果を利用した動画が現れる。
図６では、３つの画素から構成される動画の一例を示しているが、具体的な図柄や画素の数は、任意に設定することができる。収容される商品あるいは製造メーカと関連付けた動画を採用することで、宣伝効果あるいは販売促進効果を高めることができる。
【００２２】
回動フラップ２０は、一端縁に係止フラップ２３を備えていて、収納室３０の一端縁には、これと対応する差込スリット３３が形成されている。係止フラップ２３をスリット３３に差し込むことで、動画を生じさせる装飾要素を隠すように、回動フラップ２０を閉じることができる。これには、次のような意味がある。
すなわち、包装用箱１０は、菓子等を収納して販売されるものであるから、商品名や内容物の情報、その他を含めた絵柄を箱体表面に表示する（印刷等）ことが好ましい。この絵柄を表示するために、回動フラップ２０を閉じることで現れる壁面（図６において紙面向こう側を向いた、回動フラップ２０の裏面）を利用することができる。
【００２３】
≪格子状のフィルムゲージ≫
本発明においては、ストライプ状のフィルムゲージ５０に限らず、格子状のフィルムゲージ５０’を採用することも可能である（図５中の円内）。勿論、その場合には、下絵２６は、これに対応して動画を生じさせるものが採用される。
ストライプ状のフィルムゲージ５０の場合、一方向の相対スライドによって動画が生じるが、格子状のフィルムゲージ５０’の場合、タテ、ヨコ、ナナメのいずれの方向に相対スライドした場合でも動画が生じる。これは、箱の組み立て精度が高くなく、相対スライド方向が予定の一方向から逸れた場合でも動画に変化が生じるという点で有効である。
【００２４】
≪壁面上の下絵とフィルムゲージとの密着性を高めるための構成≫
壁面３１に表示した下絵２６上にフィルムゲージ５０を重ねて相対スライドさせることで動画を生じさせる場合、両者の隙間が大きいと、動画がボヤケて見えることがある。動画をクリアにするためには、壁面３１上の下絵２６に、フィルムゲージ５０を適度に圧接させることが好ましい。
これを実現するために、本発明では、壁面３１に設けた一対のスリット３２ａ、３２ｂに対して、フィルムゲージ保持フラップ２５の両端に設けた差込片２５ａ、２５ｂを差し込み、これによって、フィルムゲージ５０を壁面３１上に固定している。特に、フィルムゲージ保持フラップ２５を厚紙やプラスチック材等の剛性材料で作成すると、フィルムゲージ保持フラップ２５自体に一平面内に納まろうとする保形性があるので、これをスリット３２ａ、３２ｂに差し込んで壁面３１に固定した場合に、フィルムゲージ５０を下絵２６に圧接させる効果が大きい。
したがって、フィルムゲージ５０が壁面３１上の下絵２６に対して適度に密着し、相対スライドにより得られる動画がクリアなものとなる。
また、図６に示したように、フィルムゲージ保持フラップ２５の根元４０ａから一定距離“Ｍ”（約５ｍｍ）の位置にミシン罫４０ｂを設けることが好ましい。これにより、回動フラップ２０の回動と連動してフィルムゲージ保持フラップ２５のミシン罫４０ｂよりも根元側の幅“Ｍ”の領域は、ミシン罫４０ｂを中心として回動と連動して斜め上方に立ち上がるが、フィルムゲージ保持フラップ２５のミシン罫４０ｂよりも先端側の領域に保持されるフィルムゲージ５０は、壁面３１上の下絵２６に対して平行を維持したまま圧接することとなる。
ただし、ミシン罫４０ｂは任意の構成要素であって、省略することも可能である。
【００２５】
≪第２実施形態：図７≫
図７は、第２実施形態に係る包装用箱１１０を示している。第１実施形態と比べて、フィルムゲージ保持フラップ１２５の構造が異なる。
【００２６】
第１実施形態では、フィルムゲージ保持フラップ２５は、その両端に、外方に向かって突出する一対の差込片２５ａ、２５ｂを備えていた。差込片２５ａ、２５ｂは、収納室３０の一壁面３１上に形成した保持スリット３２ａ、３２ｂに、互いに離れる方向に差し込まれ、これにより、フィルムゲージ保持フラップ２５が一壁面３１上に対して相対スライド可能に係止されていた。
【００２７】
これに対し、第２実施形態では、フィルムゲージ保持フラップ１２５の差込片２９ａ、２９ｂは、互いに近づく方向に向けられている。すなわち、フィルムゲージ保持フラップ１２５には、その両端縁からやや内側の位置に、切込スリット２８ａ、２８ｂが形成されていて、これにより、互いに近づく方向に向く一対の差込片２９ａ、２９ｂを構成している。
【００２８】
差込片２９ａ、２９ｂは、収納室３０の一壁面３１上に形成した保持スリット３２ａ、３２ｂに、外方から互いに近づく方向に差し込まれ、これにより、フィルムゲージ保持フラップ１２５が一壁面３１上に相対スライド可能に係止される。なお、差込片２９ａ、２９ｂの具体的形態は、任意のものを採用することができる。
【００２９】
第１実施形態（図６）と第２実施形態（図７）を比較すると、次のことがいえる。すなわち、第２実施形態では、スリットに差し込まれた差込片２９ａ、２９ｂが互いに近づく方向に延在するので、収納室３０内（壁面３１の裏側）において、下絵２６により近い位置に差込片２９ａ、２９ｂが位置する。そのため、第１実施形態に比べて、フィルムゲージ保持フラップ１２５に保持されたフィルムゲージ５０を、壁面３１上の下絵２６に押し付ける効果が高い。
したがって、下絵２６とフィルムゲージ５０との密着性が高まり、クリアな動画を得ることができる。
【図面の簡単な説明】
【００３０】
【図１】２つの画素から動画を生じさせる原理を示す説明図。
【図２】２つの画素から動画を生じさせる原理を示す説明図。
【図３】３つの画素から動画を生じさせる原理を示す説明図。
【図４】３つの画素から動画を生じさせる原理を示す説明図。
【図５】本発明の第１実施形態に係る包装用箱を説明する組立図。
【図６】図５に示した包装用箱の機能を説明する図。
【図７】本発明の第２実施形態に係る包装用箱を説明する組立図。
【符号の説明】
【００３１】
１０、１１０  包装用箱
２０  回動フラップ
２１、２２  フラップ片
２３  係止フラップ
２５、１２５  フィルムゲージ保持フラップ
２６  下絵（複合画像）
２７  開口部
３０  収納室
３１  一壁面
３２ａ、３２ｂ  保持スリット
３３  差込スリット
３５  開閉フラップ
５０、５０’  フィルムゲージ
２５ａ、２５ｂ  差込片
２８ａ、２８ｂ  切込スリット
２９ａ、２９ｂ  差込片
【図１】
2010013119.tif 000003
【図２】
2010013119.tif 000004
【図３】
2010013119.tif 000005
【図４】
2010013119.tif 000006
【図５】
2010013119.tif 000007
【図６】
2010013119.tif 000008
【図７】
2010013119.tif 000009